(57)【要約】【課題】構成が簡単で、容易に画質補正が実施可能なプロジェクタを提供する。【解決手段】プロジェクタ１００は、投射レンズ１５０の後段に設けられるとともに、この投射レンズ１５０から投射される画像光の光路を開閉するレンズカバー１６０と、レンズカバー１６０の投射レンズ１５０と対向する面に設けられるとともに、投射レンズ１５０から投射される画像光の色度を検出する色度センサ１６１と、色度センサ１６１により検出された色度に応じて、色状態を補正した画像光を光学系にて生成させる制御をする再生制御手段と、を具備した。【選択図】図１
2008309835.tif 000002
【特許請求の範囲】
【請求項１】
光源から射出された光束を画像情報に応じて変調させて画像光を生成する画像光生成手段と、前記画像光を投射する投射レンズと、を備えたプロジェクタであって、
前記投射レンズの光射出面側に設けられるとともに、前記投射レンズの前記画像光が投射される光射出面を開閉するレンズカバーと、
前記レンズカバーの前記投射レンズと対向する面に設けられるとともに、前記レンズカバーにより前記光射出面を閉塞した状態で、前記光射出面から射出される前記画像光の光路上に位置し、前記投射レンズから投射される前記画像光の画質状態を検出する光検出手段と、
前記光検出手段により検出された画質状態に応じて、画質を補正して前記画像光を前記画像光生成手段にて生成させる制御をする補正画像生成手段と、
を具備したことを特徴としたプロジェクタ。
【請求項２】
請求項１に記載のプロジェクタであって、
前記レンズカバーは、前記光射出面を閉塞する状態において、外部光を遮光する
ことを特徴としたプロジェクタ。
【請求項３】
請求項１または請求項２に記載のプロジェクタであって、
前記投射レンズから投射される前記画像光の基本画質状態に関する基本画質情報を記憶する記憶部を備え、
前記補正画像生成手段は、前記光検出手段にて検出される画質状態および前記基本画質情報の基本画質状態が異なる場合に、前記画像光の画質を補正する
ことを特徴としたプロジェクタ。
【請求項４】
請求項１ないし請求項３のいずれかに記載のプロジェクタであって、
前記光検出手段は、前記画像光の色度を検出する色度センサであり、
前記補正画像生成手段は、前記色度センサにより検出された色度に応じて、色度を補正した前記画像光を画像光生成手段にて生成させる制御をする
ことを特徴としたプロジェクタ。
【請求項５】
請求項４に記載のプロジェクタであって、
前記投射レンズから投射される前記画像光の基本色座標に関する基本色度情報を記憶する記憶部と、
前記色度センサにて検出された前記画像光の各色成分の色座標と、前記基本色度情報の各色成分の色座標との差分値を演算し、これらの色座標の差分値が所定値以上となった場合に、前記色度センサにて検出される各色成分の色座標を前記基本色度情報の各色成分の色座標と略一致させる補正値に関する補正値情報を生成する補正値生成手段と、を備え、
前記補正画像生成手段は、前記補正値生成手段にて生成された補正値情報に基づいて、色度を補正した前記画像光を前記画像光生成手段にて生成させる制御をする
ことを特徴としたプロジェクタ。
【請求項６】
請求項１ないし請求項５のいずれかに記載のプロジェクタであって、
前記レンズカバーの閉塞状態を検出するカバー検出手段を備え、
前記光検出手段は、前記カバー検出手段にて前記レンズカバーが前記画像光の光路を閉塞する状態に移動されたことを検出すると、前記投射レンズから投射される前記画像光の画質状態を検出する
ことを特徴としたプロジェクタ。
【請求項７】
光源から射出された光束を画像情報に応じて変調させて画像光を生成する画像光生成手段、前記画像光を投射する投射レンズ、前記投射レンズの光射出面側に設けられるとともに、前記投射レンズの前記画像光が投射される光射出面を開閉するレンズカバー、前記レンズカバーの前記投射レンズと対向する面に設けられるとともに、前記レンズカバーにより前記光射出面を閉塞した状態で、前記光射出面から射出される前記画像光の光路上に位置し、前記投射レンズから投射される前記画像光の画質状態を検出する光検出手段、前記投射レンズから投射される前記画像光の基本画質状態に関する基本画質情報を記憶する記憶部、および前記光検出手段により検出された画質状態に応じて、画質を補正して前記画像光を前記画像光生成手段にて生成させる制御をする補正画像生成手段を備えたプロジェクタと、
前記プロジェクタから射出された前記画像光の画質状態を認識し、認識した画質状態に基づいて、前記プロジェクタの画像光生成手段の特性に応じた画質設定に関する設定情報を生成する初期プロジェクタ設定手段を備えた高精度計測装置と、を備えたプロジェクタ画質補正システムであって、
前記プロジェクタは、前記光検出手段により、前記前記高精度計測装置の前記初期プロジェクタ設定手段で設定された前記設定情報に基づいて前記画像光生成手段により生成された画像光を認識し、この認識した画像光の画質状態を前記基本画質情報として前記記憶部に記憶した
ことを特徴としたプロジェクタ画質補正システム。
【発明の詳細な説明】
【技術分野】
【０００１】
本発明は、画像光を投射するプロジェクタ及びプロジェクタ画質補正システムに関する。
【背景技術】
【０００２】
従来、投射レンズから画像光を投射してスクリーンなどの表示領域に画像を表示させるプロジェクタが知られている。このようなプロジェクタでは、より色彩豊かな画像を表示させたり、外光によらず画像を表示させたりするために、内部光エネルギー密度を増大させる傾向がある。しかしながら、内部光エネルギー密度を増大させると、光源ランプや、光学変換素子などの光学部品の経時変化を引き起こす。これにより、経過時間に対して投射される画像光の画質状態が悪化してしまい、例えば色度が変化して色再現性が劣化してしまうなどの問題がある。このような問題に対して、光学部品を色補正して色再現性を良好に維持する構成が知られている（例えば、特許文献１および特許文献２参照）。
【０００３】
特許文献１に記載のものは、カラーＣＲＴの画面に色度センサを装着し、この色度センサにて検出される色温度に基づいて、画面の色変化を補正する表示装置である。この表示装置では、コントラストおよびブライトネスの状態を切り換えた諸条件で、色度センサにて検出される色温度が、規定の色温度となるように、デジタルコントラスト回路およびデジタルブライトネス回路に制御信号を送信し、それぞれの制御条件をメモリに記憶させる。そして、任意のコントラストおよびブライトネスが設定された際に、メモリに記憶されているデータを用いて、コントラストおよびブライトネスの変化分に対応する補正制御信号で各回路を再調整する構成が採られている。
【０００４】
また、特許文献２に記載のものは、プロジェクタに色光センサを設け、この色光センサによりスクリーンに投影された画像の色光情報を計測する。そして、この計測した色光情報に基づいて、プロジェクタから投射される画像光を色補正する構成が採られている。
【０００５】
【特許文献１】特開２０００−３２４９３号公報
【特許文献２】特開２００１−３２０７２５号公報
【発明の開示】
【発明が解決しようとする課題】
【０００６】
ところで、上記特許文献１のような従来の表示装置では、色補正を実施する度にＣＲＴに色度センサを装着させる必要がある。このため、色度センサの着脱が煩雑であるという問題がある。
また、上記特許文献のような従来の構成のプロジェクタでは、スクリーンに投影された画像の色光情報を計測するため、色度センサに到達する光量が少なく、測定精度が低下し、例えば暗階調の色度補正時には外光の影響も受けてしまうため、測定環境全体を遮光する必要があるなど、測定操作が煩雑になるという問題がある。
【０００７】
本発明は、上記のような問題に鑑みて、構成が簡単で、容易に画質補正が実施可能なプロジェクタ及びプロジェクタ画質補正システムを提供することを目的とする。
【課題を解決するための手段】
【０００８】
本発明のプロジェクタは、光源から射出された光束を画像情報に応じて変調させて画像光を生成する画像光生成手段と、前記画像光を投射する投射レンズと、を備えたプロジェクタであって、前記投射レンズの後段に設けられるとともに、前記投射レンズの前記画像光が投射される光射出面を開閉するレンズカバーと、前記レンズカバーの前記投射レンズと対向する面に設けられるとともに、前記レンズカバーにより前記光射出面を閉塞した状態で、前記光射出面から射出される前記画像光の光路上に位置し、前記投射レンズから投射される前記画像光の画質状態を検出する光検出手段と、前記光検出手段により検出された画質状態に応じて、画質を補正して前記画像光を前記画像光生成手段にて生成させる制御をする補正画像生成手段と、を具備したことを特徴とする。
【０００９】
この発明によれば、プロジェクタは、投射レンズをカバーするレンズカバーの投射レンズと対向する面、すなわち裏面に光検出手段が設けられ、レンズカバーにて投射レンズの光射出面を覆った状態で、投射レンズから画像光を射出させることで、光検出手段にて例えば画像光の色再現性などの画質状態を検出させる。そして、補正画像生成手段は、画像光生成手段を制御して、前記検出した画質状態に応じて、画質が補正された画像光を生成させる制御をする。
これにより、例えば画質補正を実施する度に光検出手段を装着させるなどの煩雑な操作が不要となり、レンズカバーで投射レンズをカバーした状態で、容易に画像光の画質状態を検出することができ、容易に画質補正を実施することができる。また、投射レンズの直近に光検出手段が設けられるため、投射レンズから投射される画像光を直接検出でき、十分な光量を光検出手段にて受光することができる。また、投射レンズをレンズカバーでカバーした状態では、外光などの進入がなく、投射レンズから投射される画像光の画質状態のみを光検出手段で検出することができる。したがって、光検出手段において良好な検出精度が得られ、適切な画質補正を実施することができる。
【００１０】
また、本発明のプロジェクタでは、前記レンズカバーは、前記光射出面を閉塞する状態において、外部光を遮光することが好ましい。
この発明によれば、レンズカバーは、閉状態において、投射レンズの光射出面を閉塞すると同時に、外部光を遮光する。これにより、画質補正の実施時に、外部光が光検出手段に到達することがないため、暗階調における画質補正処理も簡便に、かつ高精度にて実施することが可能となる。
【００１１】
そして、本発明のプロジェクタでは、前記投射レンズから投射される前記画像光の基本画質状態に関する基本画質情報を記憶する記憶部を備え、前記補正画像生成手段は、前記光検出手段にて検出される画質状態および前記基本画質情報の基本画質状態が異なる場合に、前記画像光の画質を補正することが好ましい。
この発明によれば、補正画像生成手段は、記憶部に予め記憶されている基本画質情報の基本画質と、光検出手段にて検出される画質状態とを比較して、これらの基本画質と検出された画質とが異なる場合に画質補正が施された画像光を生成させる制御をする。
一般に、プロジェクタでは、例えば工場出荷時において、分光測定器などを備えた高精度計測システムにより射出される画像光を測定し、この測定した画像光に基づいて各プロジェクタの特性に応じて射出される画像光の画質状態が補正される。一方、光検出手段は、例えば三刺激値計測器など、迅速に画質状態を検出可能な構成を有するものであり、この光検出手段にて計測される画質状態と、前記高精度画質計測システムにより計測される画質状態とでは、検出される画質状態が異なる場合がある。したがって、工場出荷時において、光検出手段を高精度画質計測システムにて計測される計測値に基づいて校正する必要があり、この校正された画質状態に関する情報が基本画質情報として予め記憶部に記憶される。これにより、例えば経時変化に伴って、光検出手段にて検出される画質状態が変化した場合に、この検出された画質状態と、基本画質情報に記録される画質状態とを比較することで、画像光の画質が劣化したかどうかを適切に判定でき、劣化していると判定された場合には、基本画質情報に基づいて適切な画質補正処理を実施できる。
【００１２】
また、本発明のプロジェクタでは、前記光検出手段は、前記画像光の色度を検出する色度センサであり、前記補正画像生成手段は、前記色度センサにより検出された色度に応じて、色度を補正した前記画像光を画像光生成手段にて生成させる制御をすることを特徴とする。
この発明によれば、光検出手段は、画像光の色度を検出する色度センサであり、補正画像生成手段は、色度センサにより検出される色度に基づいて、色度が補正された画像光を生成させる制御をする。
一般にプロジェクタを長時間使用すると、経時変化に略比例して、色度の変化も増大する傾向がある。これに対して、上記のような発明では、このような色度の変化を色度センサにより検出し、画像生成手段にて生成させる画像光の色度を補正するので、良好な色補正を実施することができる。
【００１３】
また、本発明のプロジェクタでは、前記投射レンズから投射される前記画像光の基本色座標に関する基本色度情報を記憶する記憶部と、前記色度センサにて検出された前記画像光の各色成分の色座標と、前記基本色度情報の各色成分の色座標との差分値を演算し、これらの色座標の差分値が所定値以上となった場合に、前記色度センサにて検出される各色成分の色座標を前記基本色度情報の各色成分の色座標と略一致させる補正値に関する補正値情報を生成する補正値生成手段と、を備え、前記補正画像生成手段は、前記補正値生成手段にて生成された補正値情報に基づいて、色度を補正した前記画像光を前記画像光生成手段にて生成させる制御をすることが好ましい。
この発明によれば、補正値生成手段は、基本色度情報の各色成分の色座標と、色度センサにて検出される各色成分の色座標との差分値が、所定値以上となった場合に、画像光の色度を基本色度情報の色座標に戻す補正値を演算する。そして、補正画像生成手段は、前記演算された補正値に基づいて、色度を補正した画像光を生成させる制御をする。
これにより、色座標の差分値により色の劣化状態を容易に認識できるとともに、補正値生成手段にて生成された補正値により、画像光の色座標を基本色情報の色座標に正確に戻すことができる。したがって、経時変化による色再現性の低下を抑えることができ、例えば工場出荷時などに設定される初期状態の色再現性をより良好に維持することができる。
【００１４】
さらに、本発明のプロジェクタでは、前記レンズカバーの閉塞状態を検出するカバー検出手段を備え、前記光検出手段は、前記カバー検出手段にて前記レンズカバーが前記画像光の光路を閉塞する状態に移動されたことを検出すると、前記投射レンズから投射される前記画像光の色状態を検出することが好ましい。
この発明によれば、カバー検出手段によりレンズカバーの閉塞状態を検出する。そして、このカバー検出手段にてレンズカバーが閉塞状態であると検出されると、光検出手段は、投射レンズからの投射される画像光の画質状態を検出する。
これにより、色補正を実施する際に、光検出手段は、投射レンズからの画像光のみを精度よく検出することができ、正確な画質補正を実施することができる。また、常時、光検出手段に電力を供給する必要がないため、消費電力を抑えることができる。さらに、カバー検出手段によりレンズカバーの閉塞状態が検出されると、光検出手段にて画像光の画質状態を検出し、補正手段にて画像生成手段から射出される画像光を補正するため、手動で画質補正操作を実施するなどの必要がなく、より操作性を良好にすることができる。
【００１５】
さらに、本発明のプロジェクタ画質補正システムは、光源から射出された光束を画像情報に応じて変調させて画像光を生成する画像光生成手段、前記画像光を投射する投射レンズ、前記投射レンズの光射出面側に設けられるとともに、前記投射レンズの前記画像光が投射される光射出面を開閉するレンズカバー、前記レンズカバーの前記投射レンズと対向する面に設けられるとともに、前記レンズカバーにより前記光射出面を閉塞した状態で、前記光射出面から射出される前記画像光の光路上に位置し、前記投射レンズから投射される前記画像光の画質状態を検出する光検出手段、前記投射レンズから投射される前記画像光の基本画質状態に関する基本画質情報を記憶する記憶部、および前記光検出手段により検出された画質状態に応じて、画質を補正して前記画像光を前記画像光生成手段にて生成させる制御をする補正画像生成手段を備えたプロジェクタと、前記プロジェクタから射出された前記画像光の画質状態を認識し、認識した画質状態に基づいて、前記プロジェクタの画像光生成手段の特性に応じた画質設定に関する設定情報を生成する初期プロジェクタ設定手段を備えた高精度計測装置と、を備えたプロジェクタ画質補正システムであって、前記プロジェクタは、前記光検出手段により、前記前記高精度計測装置の前記初期プロジェクタ設定手段で設定された前記設定情報に基づいて前記画像光生成手段により生成された画像光を認識し、この認識した画像光の画質状態を前記基本画質情報として前記記憶部に記憶したことを特徴とする。
この発明によれば、プロジェクタは、例えば分光測定器などを備えた高精度計測装置により色再現性などの画質状態を認識し、この認識した画質状態に応じてプロジェクタから射出される画像光を補正する設定情報を生成する。そして、プロジェクタは、この設定情報に基づいて画像光を生成し、光検出手段にて生成した画像光を検出し、この検出した画質状態を基本画質情報として記録する。
これにより、光検出手段に個体差があって、所定の測定誤差がある場合でも、光検出手段を高精度計測装置により校正することができ、校正された光検出手段により、初期状態、すなわち高精度計測装置にて設定された画質状態を良好に維持することができる。
【発明を実施するための最良の形態】
【００１６】
以下、本発明の一実施の形態に係るプロジェクタを図面に基づいて説明する。
図１は、本発明の一実施の形態に係るプロジェクタの概略構成を示す斜視図である。
図２は、前記実施の形態のプロジェクタを構成する光学系の概略構成を示す図である。
図３は、前記実施の形態のプロジェクタの構成を示すブロック図である。
図４は、前記実施の形態のプロジェクタの制御部の概略構成を示すブロック図である。
【００１７】
〔プロジェクタの構成〕
図１および図３に示すように、プロジェクタ１００は、スクリーンなどの画像表示領域に画像光を投射して画像を表示させる装置である。このプロジェクタ１００は、外装ケース１１０と、外装ケース１１０内部に設けられる入出力部１２０と、外装ケース１１０の所定箇所に設けられる操作部１３０と、図２に示すような画像生成手段としての光学系１４０と、投射レンズ１５０と、レンズカバー１６０と、記憶部としてのメモリ１７０と、外装ケース内部に設けられてプロジェクタ１００の動作を制御する制御部１８０と、などを備えている。
【００１８】
外装ケース１１０は、内部に光学系１４０および制御部１８０などを格納可能な略箱状に形成されている。
この外装ケース１１０の正面には、図示しない投射レンズ設置孔が内外を連通する状態で形成され、この投射レンズ設置孔に投射レンズ１５０が設置されている。
【００１９】
また、外装ケース１１０の投射レンズ設置孔の近傍には、投射レンズ１５０の光軸に略直交する方向に延出する図示しない溝部が形成され、この溝部にレンズカバー１６０が移動可能に保持されている。そして、外装ケース１１０の溝部近傍には、カバー移動機構１６２（図３参照）が設けられている。このカバー移動機構１６２は、例えば図示しない駆動モータと、複数のギアにより構成され、駆動モータが制御部１８０から入力される制御信号に基づいて駆動されることで、レンズカバー１６０が開閉、すなわち投射レンズ１５０の光射出面を覆う状態、および投射レンズ１５０の光射出面を開放する状態を切り換える。
また、外装ケース１１０には、レンズカバー１６０の開閉状態を検出するカバー検出手段としてのカバー開閉検出センサ１６３が設けられている。このカバー開閉検出センサ１６３は、例えば、外装ケース１１０の溝部上に設けられ、レンズカバー１６０が溝部に沿って投射レンズ１５０の光射出面を覆う状態まで移動されることで、スイッチが切り替わるスイッチングセンサであってもよく、例えば赤外線などによりレンズカバー１６０の移動状態を検出するセンサであってもよい。そして、このカバー開閉検出センサ１６３は、制御部１８０に電気的に接続され、レンズカバーの開閉状態に関する信号を制御部１８０に出力する。
【００２０】
入出力部１２０は、外装ケース１１０の例えば背面などに設けられる入出力端子部に接続され、この入出力端子部に接続される例えばパーソナルコンピュータなどの他の外部電子機器や、インターネット回線などの通信回線などから、画像情報などの各種情報を取得する。そして、入出力部１２０は、入力された信号を制御部１８０に出力する。なお、入出力部１２０は、例えばＣＤ（Compact Disc），ＤＶＤ（Digital Versatile Disc）などの記録媒体から画像情報など各種情報を取得可能なドライブ装置を備え、これらのドライブ装置から入力される各種情報を取得するものであってもよい。
【００２１】
操作部１３０は、例えば外装ケース１１０の所定位置に設けられる操作ボタンや操作つまみなどの操作手段を備えている。この操作手段としては、例えばプロジェクタ１００の電源のＯＮ／ＯＦＦを切り換える電源操作部、投射レンズ１５０から画像光を射出させる旨の再生操作部、音量の調整に関する音量調整部、レンズカバー１６０の開閉に関するカバー開閉部などが挙げられる。そして、操作部１３０は、これらの操作手段が操作されると、操作内容に応じた入力信号を制御部１８０に出力する。
【００２２】
光学系１４０は、図２に示すように、光源としてのランプ１４１と、ランプ１４１の赤成分を透過して緑・青成分を反射するダイクロイックミラー１４２と、ダイクロイックミラー１４２により反射された光のうち、青成分を透過して緑成分を反射するダイクロイックミラー１４３と、３枚の全反射ミラー１４４Ａ，１４４Ｂ，１４４Ｃと、３枚のライトバルブ（液晶パネル）１４５，１４６，１４７と、ダイクロイックプリズム１４８と、などを備えている。
【００２３】
このような光学系１４０では、ランプ１４１から照射された光は、ダイクロイックミラー１４２により赤成分の光と緑・青成分の光とに分光される。ダイクロイックミラー１４２により反射された緑・青成分の光は、ダイクロイックミラー１４３により、緑成分の光と青成分の光とに分光される。
赤成分の光は、全反射ミラー１４４Ａにより反射され、ライトバルブ１４５を透過してダイクロイックプリズム１４８に到達する。
緑成分の光は、ダイクロイックミラー１４３で反射され、ライトバルブ１４６を透過してダイクロイックプリズム１４８に到達する。
青成分の光は、ダイクロイックミラー１４３を透過し、全反射ミラー１４４Ｂ，１４４Ｃにより反射され、ライトバルブ１４７を透過してダイクロイックプリズム１４８に到達する。
【００２４】
ここで、ライトバルブ１４５，１４６，１４７は、それぞれ制御部１８０に電気的に接続され、制御部１８０の制御により、駆動電圧が制御される。これにより、ライトバルブ１４５，１４６，１４７は、例えば入出力部１２０から入力された画像情報に応じて、赤・緑・青成分の各光を変調する。
そして、これらのライトバルブ１４５，１４６，１４７を透過した各光は、ダイクロイックプリズム１４８で所定の画像光として合成され、投射レンズ１５０を介して、例えばスクリーンなどの表示領域に投影される。
【００２５】
投射レンズ１５０は、上記したように、外装ケース１１０の投射レンズ設置孔に配設され、光学系１４０にて合成された画像光を表示領域に向かって投射する。
【００２６】
レンズカバー１６０は、上記したように、外装ケース１１０の溝部に移動可能に保持され、カバー移動手段としてのカバー移動機構１６２の駆動により、投射レンズ１５０の光軸上に進退する。この時、レンズカバー１６０は、投射レンズ１５０の光射出面を覆う状態（閉状態）に移動された際に、外部光を略完全に遮光する状態となる。
また、レンズカバー１６０の裏面、すなわち投射レンズ１５０の光射出面に対向する面には、色度センサ１６１が設けられている。この色度センサ１６１は、レンズカバー１６０が閉状態に移動した際に、投射レンズ１５０の光射出面の略中央に対向する位置に設けられている。そして、この色度センサ１６１は、レンズカバー１６０が閉状態に移動し、投射レンズ１５０から所定の画像光が射出されると、この画像光の三刺激値を計測して、画像光の色度を検出し、検出状態に応じた信号を制御部１８０に出力する。この時、上記したように、レンズカバー１６０が閉状態に移動した状態では、レンズカバー１６０と投射レンズ１５０との間に外部光が侵入しないため、色度センサ１６１にて投射レンズ１５０から射出された画像光の三刺激値を精度よく計測することが可能となる。
【００２７】
メモリ１７０は、プロジェクタ１００全体を動作制御するＯＳ（Operating System）上に展開される各種プログラムなどを記憶している。
また、メモリ１７０は、画像光の色補正を実施する際の、基本色情報としての基本色度情報を記録している。
ここで、この基本色度情報は、各色成分における基本色度に関する情報、例えば、所定のＲＧＢ信号に対応する色座標、すなわち各色成分をｘｙ色度図上に各色成分を座標表示させた際のｘ、ｙ値が記録されている。なお、基本色度情報としては、上記のような色座標が記録されるものに限られず、例えば、各ライトバルブ１４５，１４６，１４７に印加する電圧値などが記録されるものであってもよい。
【００２８】
そして、このメモリ１７０としては、例えば停電などにより突然電源が落ちた際にも記憶が保持される構成のメモリ、例えばＣＭＯＳ（Complementary Metal-Oxide Semiconductor）メモリなどを用いることが望ましい。
なお、メモリ１７０に各種プログラムの情報を記録する構成としたが、例えば、ＨＤ、ＤＶＤなどの記録媒体に各種プログラムなどの情報を記録し、これらの記録媒体から情報を読み取るドライブ装置などを備えた構成などとしてもよい。
【００２９】
制御部１８０は、図４に示すように、カバー移動制御手段１８１と、カバー開閉状態認識手段１８２と、投射光認識手段１８３と、補正値生成手段としての色補正手段１８４と、補正画像生成手段としての再生制御手段１８５と、などを備えている。
【００３０】
カバー移動制御手段１８１は、利用者による操作部１３０の操作入力により、例えば再生要求信号が入力されたことを認識すると、カバー移動機構１６２を制御してレンズカバー１６０を開状態、すなわち投射レンズ１５０から画像光を投射可能な状態に移動させる。また、カバー移動制御手段１８１は、利用者による操作部１３０の操作入力により、例えば再生を終了させる旨の再生終了要求信号が入力されたことを認識すると、レンズカバー１６０を閉状態、すなわち投射レンズ１５０の光軸をレンズカバー１６０にて閉塞する状態に移動させる。
【００３１】
カバー開閉状態認識手段１８２は、カバー開閉検出センサ１６３から入力される検出信号に基づいて、レンズカバー１６０の開閉状態を認識する。
【００３２】
投射光認識手段１８３は、カバー開閉状態認識手段１８２において、カバー開閉状態認識手段１８２にてレンズカバー１６０が閉状態に移動されたことを認識すると、光学系１４０を制御し、所定波長の画像光を投射レンズ１５０から射出させる。そして、レンズカバー１６０の裏面に設けられた色度センサ１６１から入力される色度に関する検出色度信号を認識する。この時、投射光認識手段１８３は、光学系１４０を適宜制御して、例えば投射レンズ１５０から波長の異なるテストパターンを順次投射させて、色度センサ１６１にて検出させ、これらの検出色度信号を認識する。
【００３３】
色補正手段１８４は、投射光認識手段１８３にて認識された各色の検出色度信号に基づいて、補正値を演算し、メモリ１７０に補正値情報として記録する。
具体的には、色補正手段１８４は、投射光認識手段１８３にて認識された各色成分に対する検出色度信号を認識し、これらの検出色度信号に基づいて、各色成分に対する色座標（検出色座標）を演算する。また、色補正手段１８４は、メモリ１７０に記録された基本色度情報の各色成分に対する色座標（基本色座標）を認識する。そして、色補正手段１８４は、これらの基本色座標および検出色座標の差分値を演算し、この差分値が予め設定された所定値以上となるか否かを判断する。ここで、この差分値が所定値よりも小さい場合、色補正手段１８４は特に処理を実施しない。一方、色補正手段１８４は、この差分値が所定値以上であると判断した場合、補正値を演算する処理を実施する。この時、色補正手段１８４は、検出色度信号に基づいて演算される検出色座標が、基本色度情報の基本色座標と略一致するように補正値を演算する。そして、色補正手段１８４は、演算した補正値をメモリ１７０の補正値情報に適宜読み出し可能に記録する。
【００３４】
再生制御手段１８５は、利用者による操作部１３０の操作入力により、例えばプロジェクタ１００から所定の画像光を投射させる旨の再生要求信号が入力されたことを認識すると、入出力部１２０から入力された画像情報に基づいて、光学系１４０を制御し、画像情報に対応した画像光を合成させる。そして、再生制御手段１８５は、投射レンズ１５０から合成された画像光を投射させて表示領域に表示させる制御をする。
具体的には、再生制御手段１８５は、入出力部１２０から入力された画像情報を構成するＲＧＢ信号やコンポジット信号、コンポーネント信号などのアナログ映像信号を、図示しないアナログデジタル変換回路（Ａ／Ｄ）によってデジタル信号に変換する。そして、再生制御手段１８５は、このデジタル信号、および色補正手段１８４により生成されてメモリ１７０に記憶されている補正値情報の補正値を用いて、ライトバルブ１４５，１４６，１４７に印加する駆動電圧を演算する処理を実施する。この後、再生制御手段１８５は、デジタルアナログ変換回路（Ｄ／Ａ）によりデジタル信号をアナログ信号に変換し、映像信号に応じた駆動電圧をライトバルブ１４５，１４６，１４７に印加する。ここで、メモリ１７０に記録された補正値情報の補正値は、投射光認識手段１８３により認識される検出座標が基本色度情報の基本座標に略一致するように設定された値であるため、各ライトバルブ１４５，１４６，１４７には、基本色度情報の各色成分に対応した適切な駆動電圧を印加することができる。
【００３５】
〔プロジェクタの動作〕
次に上述したようなプロジェクタ１００の動作における、色補正処理について説明する。
図５は、プロジェクタにおける色度経時変化の例を示す図である。
図６は、前記実施の形態のプロジェクタの工場出荷時における色補正処理実施時の状態を示す図である。
図７は、前記実施の形態のプロジェクタの工場出荷時における色補正処理実施時の状態を示す図である。
図８は、前記実施の形態のプロジェクタの色補正処理実施時の状態を示す図である。
図９は、前記実施の形態のプロジェクタの色補正手順を示す図である。
図１０は、前記実施の形態のプロジェクタの色補正処理におけるフローチャートである。
【００３６】
一般に、上述したようなプロジェクタ１００では、長時間使用すると、図５に示すように、投射レンズ１５０から投射される画像光の色度が経過時間に略比例して変化する傾向がある。これにより、投射された画像光の色度が変化し、色再現性が低下してしまうため、色度を補正する必要がある。
【００３７】
このために、本実施の形態のプロジェクタ１００では、図６に示すように、例えば工場出荷時などの未使用状態において、高精度計測装置としての高精度色補正システム２００の分光測定器により初期色補正処理を実施する。
【００３８】
この色補正処理では、プロジェクタ１００のレンズカバー１６０を開状態とし、高精度色補正システムに向けて投射レンズ１５０から所定の画像光を射出させる。
高精度色補正システム２００は、分光計測器を有し、この分光計測器によりプロジェクタ１００から射出された画像光の色度を検出する。また、高精度色補正システム２００は、例えば図示しない初期プロジェクタ設定手段としても機能する演算回路を備え、この演算回路により、計測された画像光の色度に基づいて、プロジェクタ１００の光学系１４０の各ライトバルブ１４５，１４６，１４７の特性に対応した適切な補正値を演算する。ここで演算された補正値は、設定情報としてプロジェクタ１００のメモリ１７０に適宜読み出し可能に記録される。
【００３９】
一方、色度センサ１６１は、上述したように、三刺激値を計測するセンサであり、高精度色補正システムにて計測された色度と異なる値が検出される場合があるため、色度センサ１６１を、設定情報に基づいて校正する必要がある。これには、図７に示すように、プロジェクタ１００のレンズカバー１６０を閉状態とし、レンズカバー１６０の裏面に設けられる色度センサ１６１により、投射された画像光の色座標を計測する。この時、プロジェクタ１００は、高精度色補正システム２００により演算された設定情報に基づいて補正された色度の画像光を投射レンズ１５０から射出させる。具体的には、プロジェクタ１００は、例えばｍ種（本実施の形態では、ｍ＝８）の互いに色度が異なる画像光であるテストパターンを投射レンズ１５０から投射させて、色度センサ１６１にて色度を検出させる。そして、プロジェクタ１００は、この時色度センサ１６１に計測された色度（各基本色の色座標値）を、基本色度情報としてメモリ１７０に適宜読み出し可能に記録する。
【００４０】
次に、プロジェクタ使用後の色補正処理について説明する。
このプロジェクタ使用後の色補正処理では、プロジェクタ１００は、図１０のフローチャートに示すような手法により処理を実施する。
すなわち、図１０において、プロジェクタ１００は、画像光の投射動作が終了すると（ステップＳ１０１）、制御部１８０のカバー移動制御手段１８１にてレンズカバー１６０を閉状態に移動させる制御をする。これにより、図８に示すように、レンズカバー１６０の裏面に設けられる色度センサ１６１が投射レンズ１５０の光射出面に対向する位置に移動される。
【００４１】
そして、制御部１８０のカバー開閉状態認識手段１８２により、レンズカバー１６０が閉状態に移動したことを認識すると、制御部１８０の投射光認識手段１８３は、テストパターンとなる画像光を投射レンズ１５０から投射させて色度センサ１６１でこのテストパターンに対する色度を検出させる。この時、投射光認識手段１８３は、工場出荷時において基本色度情報の設定時に用いたテストパターンの色度を検出する。
【００４２】
具体的には、投射光認識手段１８３は、まず、パターン変数ｎを初期値１に設定する（ステップＳ１０２）。
次に、投射光認識手段１８３は、光学系１４０を制御して、テストパターンのｎ番目の画像光（パターンＰ（ｎ））を投射させる（ステップＳ１０３）。そして、投射光認識手段１８３は、色度センサ１６１から入力される検出色度信号（Ｃ（ｎ））を認識する（ステップＳ１０４）。
この後、投射光認識手段１８３は、パターン変数ｎを１だけ増加させ（ステップＳ１０５）、パターン変数ｎがテストパターンの数ｍと一致するか否かを判断する（ステップＳ１０６）
【００４３】
このステップＳ１０６において、パターン変数ｎがテストパターンの数ｍと一致しなかった場合、ステップＳ１０３ないしステップＳ１０５の処理を再び実施し、図９に示すように、テストパターンの画像光（Ｐ（ｎ））を準じ切り換えて、検出色度信号Ｃ（ｎ）を認識する。
【００４４】
一方、ステップＳ１０６において、パターン変数ｎがテストパターンの数ｍと一致した場合、ステップＳ１０４にて認識した各検出色度信号Ｃ（ｎ）に基づいて、各パターンの画像光に対する検出色度情報を演算する（ステップＳ１０７）。
【００４５】
次に、制御部１８０の色補正手段１８４は、ステップＳ１０７にて演算された検出色度情報の検出色座標と、メモリ１７０に記憶されている基本色度情報の基本色座標とを比較する。すなわち、色補正手段１８４は、基本色座標と検出色座標との差分値を演算し、この差分値が所定値（例えば０．０２０）以上であるか否かを判断する（ステップＳ１０８）。
【００４６】
このステップＳ１０８において、色補正手段１８４は、基本色座標および検出色座標の差分値が所定値よりも小さいと判断した場合、特に処理を実施せず、プロジェクタ１００の色補正処理を終了させる。
【００４７】
一方、ステップＳ１０８において、検出色座標および基本色座標の差分値が所定値以上であると判断した場合、色補正手段１８４は、検出色座標を基本色座標に略一致させる補正値を演算し（ステップＳ１０９）、この補正値を新たな補正値情報としてメモリ１７０に記憶する（ステップＳ１１０）。
以上の処理によりプロジェクタ１００の色補正処理が完了する。
【００４８】
〔プロジェクタの作用効果〕
上述したように、上記実施の形態のプロジェクタ１００では、投射レンズ１５０をカバーするレンズカバー１６０の裏面側、すなわち、投射レンズ１５０の光射出面に対向する位置に色度センサ１６１が設けられている。そして、プロジェクタ１００の使用終了時に、レンズカバー１６０を閉状態に移動させた際に投射レンズ１５０から画像光を射出させて、再生制御手段１８５は、この色度センサ１６１にて検出された検出色度信号に基づいて、この光学系１４０の各ライトバルブ１４５，１４６，１４７に印加する駆動電圧を制御して色度を補正した画像光を投射レンズ１５０から投射させている。
このため、レンズカバー１６０の裏面に色度センサ１６１が設けられているため、色補正を実施する度に色度センサを装着させるなどの煩雑な操作が不要となり、色補正処理を容易に実施することができる。また、レンズカバー１６０を閉状態に移動させた状態で色度センサ１６１にて画像光の検出色度を計測するため、外光などの問題がなく、投射レンズ１５０に近接する位置に色度センサ１６１が設けられるため、色度センサ１６１において十分な光量を受光させることができる。したがって、色度センサ１６１において、良好な検出精度が得られ、より正確な色補正を実施することができる。
【００４９】
また、レンズカバー１６０は、閉状態において、投射レンズ１５０の光射出面を閉塞するとともに、外部光を遮光する。
このため、色度センサ１６１にて画像光の色度を検出する際に、外部光が色度センサ１６１に到達せず、投射レンズ１５０から投射される画像光の色度のみを精度よく検出することができる。したがって、暗階調における色補正処理も容易に、かつ、高精度に実施することができる。
【００５０】
また、プロジェクタ１００は、メモリ１７０に例えば工場出荷時などに設定される基本色度情報が記録され、再生制御手段１８５は、この基本色度情報の色度と検出色度とが異なる場合に、色度が補正された画像光を光学系１４０にて生成させ、投射レンズ１５０から投射させている。
このため、基本色度情報を基準にして検出色度情報の検出色度を判定するため、色劣化の度合いを容易に判断することができる。したがって、複雑なプログラムなどを設ける必要がなく、簡単な構成で色劣化を判断でき、色補正手段１８４および再生制御手段１８５により、色補正が実施された画像光を容易に生成させることができる。
【００５１】
さらに、色補正手段１８４は、基本色度情報の各色成分の色座標と、色度センサ１６１にて検出された検出色信号に基づく検出色座標との差分値を演算し、この差分値が所定値以上の場合に、検出色座標を基本色座標に略一致させる補正値を演算し、メモリ１７０に記録された補正値情報にこの補正値を記録して更新する。そして、再生制御手段１８５は、この補正値情報の補正値に基づいて、各ライトバルブ１４５，１４６，１４７に印加する駆動電圧を制御する。
このため、色補正手段１８４は、色度センサ１６１にて検出された検出色度信号に基づいて演算される検出色座標と、基本色度情報の基本色座標との差分値に基づいて、色の劣化状態を判断するため、色劣化状態を容易に判断することができる。また、色補正手段１８４により、検出色座標を基本色座標に略一致させるような補正値が生成され、再生制御手段１８５は、この補正値を用いて画像光を補正するため、投射レンズ１５０から投射される画像光の色度を工場出荷時に検出した初期状態の基本色度に近づけることができ、初期状態の色再現性を維持することができ、経時変化による色劣化を防止することができる。
【００５２】
そして、投射光認識手段１８３は、カバー開閉状態認識手段１８２によりレンズカバー１６０が閉状態になったことが検出されると、光学系１４０からテストパターンを投射させて色度センサ１６１から入力される検出色度信号を認識し、色補正処理を実施する。
このため、レンズカバー１６０が確実に閉状態となったことを認識した後、色補正処理を実施するので、例えば、色度センサ１６１にてテストパターンの色度を検出する際に、
レンズカバー１６０と外装ケース１１０との隙間から外光が進入するなどの不都合がなく、色度センサ１６１による検出精度を向上させることができ、色補正の精度も向上させることができる。
また、レンズカバー１６０が開状態の時には、色度センサ１６１への電力供給を切り、カバー開閉状態認識手段１８２によりレンズカバー１６０が閉状態になったことが検出されると、色度センサ１６１に電力を供給させるなどの処理が可能となり、省電力化にも貢献できる。
さらに、投射光認識手段１８３は、カバー開閉状態認識手段１８２により検出されるレンズカバー１６０の状態に基づいて、テストパターンを投射させて色補正処理を開始させる。このため、レンズカバー１６０の開閉状態により自動で色補正処理を実施することができ、例えば手動で色補正を実施する旨の操作入力をするなど煩雑な操作が不要となり、操作性をより向上させることができる。
【００５３】
さらには、レンズカバー１６０は、カバー移動制御手段１８１の制御によりカバー移動機構１６２を駆動させることで開閉している。このため、手動でレンズカバー１６０を移動させるなどの操作が不要となり、より操作性を向上させることができる。また、手動によるレンズカバー１６０の移動では、レンズカバー１６０の裏面に設けられた色度センサ１６１が投射レンズ１５０に接触したり、接触により故障したりするおそれがあるが、上記のようにカバー移動制御手段１８１の制御によりレンズカバー１６０を移動させる構成とすることで、接触や接触による故障などの不都合を防止することができる。
【００５４】
そして、色度センサ１６１は、レンズカバー１６０が閉状態となった際に、投射レンズ１５０の光射出面の略中央に対向する状態に移動される。
このため、色度センサ１６１により、投射レンズ１５０から投射されるテストパターンなどの画像光の色度をより良好に検出することができる。
【００５５】
また、基本色度情報として、工場出荷時に高精度色補正システム２００により設定される設定情報に基づいて設定された画像光を投射レンズ１５０から射出させ、この画像光を色度センサ１６１にて検出した際の検出色度情報を用いている。このため、色度センサ１６１に製造上の誤差や個体差があった場合でも、基本色度情報として、高精度色補正システム２００により適切に設定された色度を記録しているので、色補正処理時に、高精度色補正システム２００にて設定された色度になるように色補正を実施することができ、良好な色再現性を維持することができる。
【００５６】
〔他の実施の形態〕
なお、本発明は前述の実施形態に限定されるものではなく、本発明の目的を達成できる範囲での変形、改良等は本発明に含まれるものである。
【００５７】
例えば、上記実施の形態では、レンズカバー１６０は、カバー移動制御手段１８１によりカバー移動機構１６２を制御することで移動させる構成としたが、例えば手動により移動される構成などとしてもよい。この場合でも、色度センサ１６１が投射レンズ１５０の光射出面に対向する状態に、レンズカバー１６０で投射レンズ１５０をカバーし、上記実施の形態のステップＳ１０２ないしステップＳ１１０を実施することで、色補正処理を実施することができる。
【００５８】
また、レンズカバー１６０が外装ケース１１０に設けられる溝部に沿って移動可能に設けられる構成としたが、例えばレンズカバー１６０の一部が外装ケース１１０に回動自在に取り付けられているものであってもよく、着脱可能な構成などとしてもよい。
【００５９】
さらに、上記実施の形態では、カバー検出手段としてのカバー開閉検出センサ１６３から出力される信号をカバー開閉状態認識手段１８２により認識することで、レンズカバー１６０の開閉状態を認識し、閉状態であると判断すると、色補正処理を実施させる構成としたが、これに限らない。
例えば、カバー開閉検出センサ１６３が設けられず、カバー移動制御手段１８１がカバー検出手段の機能を有する構成などとしてもよい。この場合、例えば利用者の設定入力により、レンズカバー１６０を移動させる旨の操作信号が入力されると、カバー移動制御手段１８１は、操作信号に応じてカバー移動機構１６２を制御してレンズカバー１６０を移動させると同時に、カバー開閉状態認識手段１８２にレンズカバー１６０の移動方向に関する信号を出力する。そして、カバー開閉状態認識手段１８２は、このカバー移動制御手段１８１から入力された信号に基づいて、レンズカバー１６０を閉状態に移動させる旨の信号を認識すると、閉状態であると判断し、色補正処理を実施させる構成としてもよい。このような構成では、カバー開閉検出センサ１６３が不要となり、構成をより簡単にすることができる。
また、例えば、操作部の操作により色補正を実施する旨の操作入力を認識することでステップＳ１０２ないしステップＳ１１０の色補正処理を実施する構成などとしてもよい。
【００６０】
さらには、投射光認識手段１８３による検出色度信号の認識処理、および色補正手段１８４による補正値演算処理は、レンズカバー１６０が閉状態になる度に実施されてもよく、前回補正値演算処理が実施された後、予め設定された所定時間経過後に実施してもよい。また、利用者の操作入力により補正値演算処理が実施される構成などとしてもよい。
【００６１】
そして、上記実施の形態では、光検出手段として色度センサを用い、色度センサにより検出される色度に基づいて、適切に色補正を実施するプロジェクタを例示したが、これに限らない。例えば光検出手段により、上記のような色度とともに、輝度や明度の変化をも検出する構成とし、補正手段により、色度に加えて、輝度や明度に関する補正値を生成する構成などとしてもよい。このような構成では、経時変化に伴う色度変化だけでなく、輝度や明度の変化による画質の悪化をも抑制することができ、良好な画質の再生を維持することができる。
【００６２】
また、上記実施の形態において、プロジェクタ１００として、ライトバルブ１４５，１４６，１４７を有する、いわゆる３板ＬＣＤ（Liquid Crystal Display）方式のプロジェクタを例示したが、これに限定されない。例えば、単板ＬＣＤ方式プロジェクタ、ＬＣＯＳ(Liquid Crystal On Silicon)等の反射型液晶パネルを用いたプロジェクタ、ＤＬＰ（Digital Light Processingを用いたプロジェクタなどに適用してもよい。また、光源としてのランプ１４１も特に限定されず、例えば、高圧水銀ランプ，ＬＥＤ光源、レーザ光源など、各種光源を用いることができる。
【００６３】
その他、本発明の実施の際の具体的な構造および手順は、本発明の目的を達成できる範囲で他の構造などに適宜変更できる。
【産業上の利用可能性】
【００６４】
本発明は、画像光を投射するプロジェクタに利用することができる。
【図面の簡単な説明】
【００６５】
【図１】本発明の一実施の形態に係るプロジェクタの概略構成を示す斜視図である。
【図２】前記実施の形態のプロジェクタを構成する光学系の概略構成を示す図である。
【図３】前記実施の形態のプロジェクタの構成を示すブロック図である。
【図４】前記実施の形態のプロジェクタの制御部の概略構成を示すブロック図である。る。
【図５】プロジェクタにおける色度経時変化の例を示す図である。
【図６】前記実施の形態のプロジェクタの工場出荷時における色補正処理実施時の状態を示す図である。
【図７】前記実施の形態のプロジェクタの工場出荷時における色補正処理実施時の状態を示す他の図である。
【図８】前記実施の形態のプロジェクタの色補正処理実施時の状態を示す図である。
【図９】前記実施の形態のプロジェクタの色補正手順を示す図である。
【図１０】前記実施の形態のプロジェクタの色補正処理におけるフローチャートである。
【符号の説明】
【００６６】
１００…プロジェクタ、１４０…画像光生成手段としての光学系、１４１…光源としてのランプ、１５０…投射レンズ、１６０…レンズカバー、１６１…光検出手段としての色度センサ、１６２…カバー移動手段としてのカバー移動機構、１６３…カバー検出手段としてのカバー開閉検出センサ、１７０…記憶部としてのメモリ、１８４…補正値生成手段としての色補正手段、１８５…補正画像生成手段としての再生制御手段、２００…高精度計測装置としての高精度色補正システム。
【図１】
2008309835.tif 000003
【図２】
2008309835.tif 000004
【図３】
2008309835.tif 000005
【図４】
2008309835.tif 000006
【図５】
2008309835.tif 000007
【図６】
2008309835.tif 000008
【図７】
2008309835.tif 000009
【図８】
2008309835.tif 000010
【図９】
2008309835.tif 000011
【図１０】
2008309835.tif 000012